(57)【要約】      （修正有）【課題】大面積に対する床面掃除方式における効率の悪さを改善する床面ワイピングマシンを提供する。【解決手段】床面ワイピングマシンは筐体１と、動力モジュール２と、掃除部品セット３とを含み、前記動力モジュールは、前記筐体内に位置し、少なくとも二つの走行ホイール２５を有し、前記少なくとも二つの走行ホイールは速度制御モータにより駆動され、前記掃除部品セットは前記筐体の底面に連結され、第一布部品３１及び第二布部品３２を有する。【選択図】図１
0003222344.tif 000002
【実用新案登録請求の範囲】
【請求項１】
筐体と動力モジュールと掃除部品セットとを含む床面ワイピングマシンであって、
前記動力モジュールは前記筐体内に配置され、少なくとも二つの走行ホイールを有し、前記少なくとも二つの走行ホイールは速度制御モータにより駆動され、
前記掃除部品セットは前記筐体の底面に連結され、第一布部品及び第二布部品を有することを特徴とする床面ワイピングマシン。
【請求項２】
前記筐体は互いに連結する台座及び天板を有し、前記台座は少なくとも二つのホイール穴を有し、前記少なくとも二つの走行ホイールは前記少なくとも二つのホイール穴に位置することを特徴とする請求項１に記載の床面ワイピングマシン。
【請求項３】
前記動力モジュールは少なくとも一つのバッテリを有し、前記少なくとも一つのバッテリは前記台座に配置され、前記少なくとも一つのバッテリは速度制御モータに電気的に接続されることを特徴とする請求項２に記載の床面ワイピングマシン。
【請求項４】
前記少なくとも一つのバッテリは充電ポートに電気的に接続され、前記充電ポートは外部の電源に電線を介して接続するためのコネクタを有することを特徴とする請求項３に記載の床面ワイピングマシン。
【請求項５】
前記バッテリの数が２個であり、前記２つのバッテリがそれぞれ台座の両側に配置されることを特徴とする請求項３に記載の床面ワイピングマシン。
【請求項６】
前記動力モジュールはシャフトを貫設させるのに用いられる複数の位置決め座を有し、シャフトは伝動ユニットに連結され、伝動ユニットは速度制御モータに連結されることを特徴とする請求項１に記載の床面ワイピングマシン。
【請求項７】
前記第一布部品及び第二布部品が着脱自在に台座に設けられることを特徴とする請求項１〜６のいずれか一項に記載の床面ワイピングマシン。
【請求項８】
さらに少なくとも一つの発光ユニットを含み、前記少なくとも一つの発光ユニットが筐体の上表面に配置されることを特徴とする請求項７に記載の床面ワイピングマシン。
【考案の詳細な説明】
【技術分野】
【０００１】
本考案は、掃除ツールに関し、特に、大面積の床面に用いられるワイピングマシンに係るものである。
【背景技術】
【０００２】
運動は心身の健康に有益である。特に近年ではスポーツの風潮が流行し、人々も例えばバトミントン、バスケットボール、バレーボールの試合など大型のスポーツイベントに次第に関心を持ってきている。一人のスポーツ選手が試合中に役目を果たすことができるか否かは、普段の訓練に頼る以外に、スポーツを行う場所の快適さや安全性も重要視されるべきである。試合中の床面に選手たちの汗やその他の水溜り、粉塵などがあることは免れないが、選手が床面の汗やその他の水溜りで滑り易くなり、成績に悪影響をもたらすことがないように、現在では人がモップや雑巾を持って床面を掃除することが多い。
【０００３】
しかしながら、人力で掃除する方式は面積の狭い場所にしか適用されず、面積が極めて広いバトミントンコート、バスケットボールコート、バレーボールコートなどにおいて、人力で逐一に床面を掃除する方式ではその時間及び労力がかかりすぎる上に、試合のスケジュール、試合中のインターバルは時間が限られているため、極めて限られた時間では広い面積を掃除できず、効率の低下及び人力の無駄使いなどの欠点があり、労力及び時間の節約、高効率化などの需要を満たすことができない。よって、従来の床面掃除方式を改善する必要があった。
【先行技術文献】
【特許文献】
【０００４】
【特許文献１】中国公開第１０４１７２９９５号公報
【考案の概要】
【考案が解決しようとする課題】
【０００５】
本考案は、広い面積を有する場所の掃除作業に適し、広い面積を有する場所にある液体を確実に除去でき、人力で掃除する方式に起因する人力の無駄使いを避け、掃除効率を大幅に向上させることができる床面ワイピングマシンを提供することを目的とする。
【０００６】
次に、本考案は構造が簡単で、組立利便性及びメンテナンス利便性を向上させることができる床面ワイピングマシンを提供することを目的とする。
【０００７】
さらに、本考案は重量バランスが取れるように調整できる床面ワイピングマシンを提供することを目的とする。
【０００８】
また、本考案は使用利便性を向上させることができる床面ワイピングマシンを提供することを目的とする。
【課題を解決するための手段】
【０００９】
本考案の明細書全文にわたって述べられる方向を示す用語、例えば、「前」、「後」、「左」、「右」、「上（頂）」、「下（底）」、「内」、「外」、「側」などは、主に、添付図面上における方向を示すものであるが、本考案の各実施例に対する説明と理解を補助するためのものであり、本考案はこれらの方向に限定されるものではない。
【００１０】
本考案による床面ワイピングマシンは、筐体と、動力モジュールと、掃除部品セットとを含む。動力モジュールは、筐体内に位置し、少なくとも二つの走行ホイールを有し、前記少なくとも二つの走行ホイールは速度制御モータにより駆動される。掃除部品セットは筐体の底面に連結され、第一布部品及び第二布部品を有する。
【００１１】
このように構成される本考案の床面ワイピングマシンは、動力モジュールにより掃除部品セットを駆動して前進させ、かつ第一布部品及び第二布部品が掃除しようとする床面を順に通過するので、限られた時間で広い面積を掃除できる効果に達する。これにより、本考案の床面ワイピングマシンは広い面積を有する場所の掃除に適用することができ、確実に床面にある液体や異物を除去できるので、人力で掃除する方式に起因する人力の無駄使いを避けることができ、掃除効率を大幅に向上させる効果を有する。
【００１２】
また、前記筐体は互いに連結する台座及び天板を有し、該台座は少なくとも二つのホイール穴を有し、前記少なくとも二つの走行ホイールは前記少なくとも二つのホイール穴に位置することもできる。これにより、構造が簡単で、組立利便性及びメンテナンス利便性を向上させる効果を有する。
【００１３】
また、前記動力モジュールは少なくとも一つのバッテリを有し、前記少なくとも一つのバッテリは台座に位置し、前記少なくとも一つのバッテリは速度制御モータに電気的に接続されることもできる。これにより、環境に対する汚染を低減する効果を有する。
【００１４】
また、前記少なくとも一つのバッテリは充電ポートに電気的に接続し、充電ポートは電線が外部へ接続するためのコネクタを有することもできる。これにより、使用利便性を向上させる効果を有する。
【００１５】
また、前記バッテリの数が２個であり、この２つのバッテリがそれぞれ台座の両側に配置されるように構成することもできる。これにより、本考案の床面ワイピングマシンは重量バランスが取れるように調整できる効果を有する。
【００１６】
また、前記動力モジュールはシャフトが貫設するのに用いられる複数の位置決め座を有し、シャフトが伝動ユニットに連結し、伝動ユニットが速度制御モータに連結するように構成することもできる。これにより、構造が簡単で、製造コストを低減できる効果を有する。
【００１７】
また、前記第一布部品及び第二布部品が着脱自在に台座に結合することもできる。これにより、速やかに取り外して洗浄し、或いは取り替える効果を有する。
【００１８】
また、本考案の床面ワイピングマシンはさらに少なくとも一つの発光ユニットを含み、前記少なくとも一つの発光ユニットを筐体の上表面に位置させてもよい。これにより、発光ユニットは本考案の床面ワイピングマシンが掃除中或いは異常状態にあることなどを人員に知らせる効果を有する。
【図面の簡単な説明】
【００１９】
【図１】本考案に係る好ましい実施例の分解斜視図。
【図２】図１のＡ−Ａ線に沿った断面図。
【図３】図１のＢ−Ｂ線に沿った断面図。
【考案を実施するための形態】
【００２０】
本考案の実施例について、以下、図面を参照して説明する。
【００２１】
図１に示されるように、本考案の好ましい実施例による床面ワイピングマシンは、筐体１、動力モジュール２及び掃除部品セット３を含み、動力モジュール２は筐体１内に位置し、掃除部品セット３は筐体１の底面に連結される。
【００２２】
筐体１は互いに連結する台座１ａ及び天板１ｂを有する。天板１ｂは例えば係合或いは螺合固定などの方式により台座１ａに結合されても良く、本考案における筐体１の形状は特に限定されるものではなく、開示される図面に限定されるものでもない。本実施例において、筐体１は概ね長方形ボックスの形態を成す。さらに、筐体１は少なくとも二つのホイール穴１１を有する。二つのホイール穴１１は台座１ａに位置し、二つのホイール穴１１は互いに間隔をもって設置される。また、本実施例において、ホイール穴１１の数は４個であるが、後述から明らかなように、これに限定されるものではない。
【００２３】
動力モジュール２は筐体１に位置する。動力モジュール２は複数の位置決め座２１を有し、複数の位置決め座２１が互いに間隔をもって筐体１の台座１ａに位置する。複数の位置決め座２１はシャフト２２を貫設するのに用いられ、これにより複数の位置決め座２１がシャフト２２を位置決めさせかつシャフト２２を支持することができる。シャフト２２は金属材料からなることが好ましい。より具体的には、動力モジュール２は伝動ユニット２３及び速度制御モータ２４を有し、伝動ユニット２３はシャフト２２に連結し、速度制御モータ２４は伝動ユニット２３に連結し、そして速度制御モータ２４はコントローラ４に電気的に接続される。伝動ユニット２３は例えばベルトプーリーセット或いはギアであっても良い。コントローラ４は速度制御モータ２４の作動を制御するのに用いられ、速度制御モータ２４が伝動ユニット２３を駆動するように構成される。本考案におけるコントローラ４の位置は特に限定されるものではないが、本実施例において、コントローラ４は筐体１の台座１ａに位置している。
【００２４】
動力モジュール２はさらに、少なくとも二つの走行ホイール２５を有する。少なくとも二つの走行ホイール２５は、筐体１の少なくとも二つのホイール穴１１に位置し、筐体１の台座１ａの底面から突出することで、床面Ｇ（図３に示す）に接触することができる。少なくとも二つの走行ホイール２５はそれぞれ伝動ユニット２３の両側に位置し、シャフト２２に連結することで、伝動ユニット２３が速度制御モータ２４により駆動されて生じる回転動力をシャフト２２へ伝達することができ、これによりシャフト２２が少なくとも二つの走行ホイール２５を同期回転するように駆動することができる。本実施例において、走行ホイール２５の数が４個であるため、伝動ユニット２３の両側にそれぞれ二つの走行ホイール２５が配置される。
【００２５】
図１、２に示されるように、動力モジュール２はさらに少なくとも一つのバッテリ２６を有することができる。少なくとも一つのバッテリ２６は台座１ａに位置し、速度制御モータ２４に電気的に接続することで電源を提供する。さらに説明すると、少なくとも一つのバッテリ２６は充電ポート２７に電気的に接続することができる。充電ポート２７は電線が外部へ接続するためのコネクタ２７ａを有し、これにより少なくとも一つのバッテリ２６を充電することができる。本実施例において、バッテリ２６の数が２個であり、二つのバッテリ２６がそれぞれ伝動ユニット２３の両側に配置されることで、床面ワイピングマシンの重量バランスが取れるように調整することができる。
【００２６】
掃除部品セット３は第一布部品３１及び第二布部品３２を有し、第一布部品３１及び第二布部品３２がそれぞれ台座１ａの底面に連結される。第一布部品３１及び第二布部品３２については、粘着、螺合或いは係合により、第一布部品３１及び第二布部品３２を着脱自在に台座１ａに結合させることが好ましく、これにより、便利に第一布部品３１及び第二布部品３２を取り外して洗浄し、或いは取り替えることができる。
【００２７】
第一布部品３１及び第二布部品３２は需要によって適切に調整することができる。例えば、第一布部品３１を濡れた布とし、第二布部品３２を乾いた布とし、或いは第一布部品３１及び第二布部品３２の何れも濡れた布または乾いた布としても良い。なお、本考案において第一布部品３１及び第二布部品３２の材質は限定されないが、本実施例では、第一布部品３１及び第二布部品３２は吸水性の強い材質から製造されても良く、これにより第一布部品３１及び第二布部品３２が効果的に床面を掃除して汗や水溜りを取り除くことができる。
【００２８】
本考案の床面ワイピングマシンはさらに少なくとも一つの発光ユニット５を含むことができる。少なくとも一つの発光ユニット５は筐体１の天板１ｂにおける上表面に配置される。少なくとも一つの発光ユニット５は例えば軽量な発光ダイオードであっても良く、本実施例において、発光ユニット５の数が複数であり、複数の発光ユニット５はそれぞれ光を発することができる。なお、複数の発光ユニット５は同色光或いは異なる色の光を発しても良く、これにより、床面ワイピングマシンが掃除中或いは異常状態にあることなどを人員に知らせることができる。さらに、複数の発光ユニット５は継続発光モード、点滅発光モード或いは間欠的発光モードであっても良く、本考案では複数の発光ユニット５の発光モードについて限定されない。
【００２９】
本考案の床面ワイピングマシンはさらにサウンド出力ユニット６を含むことができる。サウンド出力ユニット６は筐体１の天板１ｂにおける上表面に配置される。サウンド出力ユニット６は例えばブザー或いはアラームであっても良く、警告音を発するのに用いることで、床面ワイピングマシンが掃除中或いは異常状態にあることなどを人員に知らせることができる。
【００３０】
本考案の床面ワイピングマシンはさらに複数のセンサーユニット７を含むことができる。複数のセンサーユニット７は筐体１の台座１ａにおける側表面に配置され、かつ複数のセンサーユニット７のうち幾つかは台座１ａの隅に位置することが好ましい。これにより複数のセンサーユニット７が周辺の障害物または壁までの距離を感知でき、周辺に障害物または壁があると感知したとき、筐体１と周辺の障害物または壁とが衝突してしまわないように、床面ワイピングマシンは即時に動作停止する。
【００３１】
図２、３に示されるように、上記構成により、速度制御モータ２４はコントローラ４の制御により伝動ユニット２３及びシャフト２２を駆動することができ、これによってシャフト２２が各走行ホイール２５を同期回転させることで、台座１ａが各走行ホイール２５の回転により掃除部品セット３を前進させることができる。かくして、床面ワイピングマシンを用いて広い面積を有する場所を掃除する際、掃除部品セット３の第一布部品３１を乾いた布とすると同時に、掃除部品セット３の第二布部品３２を乾いた布とし、掃除しようとする床面を第一布部品３１、第二布部品３２の順に通過させることで、第一布部品３１で床面を軽く拭き、第二布部品３２で床面を拭き上げ、これにより確実に床面にある液体や異物を除去することができる。以上により、床面ワイピングマシンは広い面積にわたって掃除することができ、人力で掃除する方式に起因する人力の無駄使いを避け、掃除効率を大幅に向上させる効果を有する。
【００３２】
さらに、第一布部品３１及び第二布部品３２が着脱自在に台座１ａに結合されるため、第一布部品３１及び第二布部品３２が汚れた場合に、速やかに台座１ａから取り外して洗浄し、或いは取り替えることができるので、使用上の利便性を向上させる効果を有する。
【００３３】
以上により、本考案の床面ワイピングマシンは、動力モジュールにより掃除部品セットを駆動して前進させ、かつ第一布部品及び第二布部品が掃除しようとする床面を順に通過するので、限られた時間で広い面積を掃除できる効果に達する。これにより、本考案の床面ワイピングマシンは広い面積を有する場所の掃除に適用することができ、確実に床面にある液体や異物を除去し、人力で掃除する方式に起因する人力の無駄使いを避けることができ、掃除効率を大幅に向上させる効果を有する。
【００３４】
ここにおいて留意すべきことは、本考案における「結合」、「組合」或いは「組み立て」等の用語は、主に連結した後、破壊しなくても分離することができるもの、或いは、連結した後に分離することが不可能なもの等の様態を含み、例えば、ねじ山を有する部品を互い螺合すること、テープ或いは面ファスナーで連結すること、ロープで縛ること、磁石吸着、係合、粘着、或いは溶接等の連結様態があり、当業者が連結しようとする部品の材質、または組み立ての様態によって選択できるものであるので、本考案では上記実施例に開示された形態に限定されない。
【００３５】
本考案は、その精神と必須の特徴事項から逸脱することなく他のやり方で実施することができる。従って、本明細書に記載した好ましい実施形態は、例示的なものであり、本考案の範囲を限定するものではない。
【符号の説明】
【００３６】
１        筐体
１ａ      台座
１ｂ      天板
１１      ホイール穴
２        動力モジュール
２１      位置決め座
２２      シャフト
２３      伝動ユニット
２４      速度制御モータ
２５      走行ホイール
２６      バッテリ
２７      充電ポート
２７ａ    コネクタ
３        掃除部品セット
３１      第一布部品
３２      第二布部品
４        コントローラ
５        発光ユニット
６        サウンド出力ユニット
７        センサーユニット
Ｇ        床面
【図１】
0003222344.tif 000003
【図２】
0003222344.tif 000004
【図３】
0003222344.tif 000005